(57)【特許請求の範囲】
【請求項１】
光源と、前記光源で発光した光を前方に向けて所要のパターンで出射する光学部材と、前記光学部材から出射された光を透過し、かつ前面に前記パターンとは異なる模様が施された透光性フィルタを備え、前記光学部材は、前記光源の光を透過する第１インナーレンズで構成され、前記第１インナーレンズは、軸線を灯具の前後方向に向けて前面が開口された略円錐型に構成されることを特徴とする灯具。
【請求項２】
前記第１インナーレンズは、光透過面に光拡散素子が形成されるとともに、透過する光を所要のパターンで出射させるためのステップまたは模様が施されている請求項１に記載の灯具。
【請求項３】
前記第１インナーレンズは、光透過面の表面又は裏面の一方の面に蓄光膜が形成されている請求項１に記載の灯具。
【請求項４】
前記第１インナーレンズは、前記光透過面の他方の面に所要のパターンで光を遮光する遮光膜が形成されている請求項３に記載の灯具。
【請求項５】
前記光学部材は、前記光源の光を集光して前記第１インナーレンズに出射させる第２インナーレンズを備える請求項２ないし４のいずれかに記載の灯具。
【請求項６】
前記透光性フィルタは非透光性材料に多数の貫通孔が開口された板状部材で構成される請求項１ないし５のいずれかに記載の灯具。
【請求項７】
前記光学部材は、中心部と主要部とで構成され、前記主要部から灯具前方に出射する光量は、前記中心部から灯具前方に出射する光量よりも大きい請求項１ないし６のいずれかに記載の灯具。
【請求項８】
前記第１インナーレンズの前端部は円環状の枠部が形成され、前記透光性フィルタは前記第１インナーレンズの前面開口に等しい外径であり、前記光源、前記第１インナーレンズ及び前記透光性フィルタは、円筒容器状のランプボディとその前面開口に近い部位に設けられた透光性のクリアカバーで構成されるランプハウジングに内装される請求項１ないし７のいずれかに記載の灯具。
【請求項９】
前記光源は、１枚の回路基板に搭載された少なくとも３つの発光素子を備え、これら発光素子は前記第１インナーレンズの後方において異なる周方向位置に配置される請求項１ないし８のいずれかに記載の灯具。
【発明の詳細な説明】
【技術分野】
【０００１】
本発明は非点灯時と点灯時で見栄えが異なる灯具に関し、特にアクセサリ灯具として利用することが可能な灯具に関するものである。
【背景技術】
【０００２】
非点灯時と点灯時の見栄え、特に灯具の前面側から発光面（光出射面）を観察したときに、当該発光面の見栄えを相違させるようにした灯具として、特許文献１に記載の表示灯がある。この表示灯は光源の前方位置に所要の色をしたカラーフィルタと、非透光板に多数の貫通孔を開口したパンチングメタルからなる透光性フィルタを配設し、当該パンチングメタルの前面にカラーフィルタと異なる色を塗装した着色層を形成したものである。
【０００３】
この表示灯によれば、非点灯時にはパンチングメタルの前面に投射される外部光により、表示灯の発光面はパンチングメタルの前面の着色層の色に観察される。点灯時には、光源から出射されてカラーフィルタを透過した光がパンチングメタルの貫通孔を通して前方に照射されるので、表示灯の発光面はカラーフィルタの色に観察される。
【先行技術文献】
【特許文献】
【０００４】
【特許文献１】特開平８−２３５９０４号公報
【発明の概要】
【発明が解決しようとする課題】
【０００５】
特許文献１の表示灯は、透光性フィルタとして用いているパンチングメタルの開口率が概ね２３％程度であるので、点灯時に光源から出射された光がパンチングメタルの貫通孔を透過して前方に照射される際の光の利用効率が低い。これを解消するために、特許文献１ではパンチングメタルの後面を反射面に形成し、貫通孔を透過しなかった光をパンチングメタルの後面で反射し、その反射光を反射板で反射して再度パンチングメタルに向ける構成がとられている。
【０００６】
特許文献１の表示灯では、パンチングメタルの後面を反射面とするための表面処理が必要であり、パンチングメタルのコストが高くなる。また、パンチングメタルの後面で反射した光を反射するための反射板が必要であり、そのためのコストもかかる。したがって、表示灯のコストが高く、低コストの灯具を構成することが難しいという課題がある。
【０００７】
本発明の目的は、構造を簡略化し、かつ点灯時の光利用効率を高めて、点灯時と非点灯時の見栄えが異なる灯具を提供するものである。
【課題を解決するための手段】
【０００８】
本発明の灯具は、光源と、光源で発光した光を前方に向けて所要のパターンで出射する光学部材と、光学部材から出射された光を透過し、かつ前面に当該パターンとは異なる模様が施された透光性フィルタを備えることを特徴とする。
【０００９】
本発明にかかる光学部材は、光源の光を透過する第１インナーレンズで構成され、第１インナーレンズは、光透過面に光拡散素子が形成されるとともに、透過する光を所要のパターンで出射させるためのステップまたは模様が施される構成とする。
【００１０】
本発明において、光学部材は、光源の光を透過する第１インナーレンズで構成され、第１インナーレンズは、軸線を灯具の前後方向に向けて前面が開口された略円錐型に構成される。また、第１インナーレンズは、光透過面の表面又は裏面の一方の面に蓄光膜が形成される。この場合において、第１インナーレンズは、当該光透過面の他方の面に所要のパターンで光を遮光する遮光膜が形成されてもよい。
【００１１】
本発明における光学部材は、光源の光を集光して第１インナーレンズに出射させる第２のインナーレンズを備えることが好ましい。さらに、光学部材は、中心部と主要部とで構成され、主要部から灯具前方に出射する光量は、中心部から灯具前方に出射する光量よりも大きいことが好ましい。
【発明の効果】
【００１２】
本発明によれば、非点灯時には透光性フィルタの前面に施された模様を観察することができ、点灯時には光学部材によって形成されたパターン光を透光性フィルタを通して観察することができ、見栄えの異なる灯具が得られる。また、光源の光を所要のパターンで光学部材から出射させることで光利用効率を高めて点灯時に明るい見栄えとすることができる。
【００１３】
本発明によれば、光学部材を第１インナーレンズで構成することにより、光源からの光を所要のパターンをした拡散光とすることができ、灯具を簡易な構成とすることができる。また、第２インナーレンズを備えることにより、さらに光利用効率を高めて点灯時の見栄えの明るさを高めることができる。
【図面の簡単な説明】
【００１４】
【図１】本発明の灯具の実施形態１の外観斜視図。
【図２】図１の灯具のランプ光軸に沿った縦断面図。
【図３】図１の灯具の内部の分解斜視図。
【図４】実施形態１の非点灯時と点灯時の見栄えを説明するランプを正面から観察した図。
【図５】実施形態２のインナーレンズの分解斜視図。
【図６】実施形態２のランプ光軸に沿った縦断面図。
【図７】実施形態３のランプ光軸に沿った縦断面図。
【図８】実施形態４の内部の分解斜視図。
【図９】実施形態４のランプ光軸に沿った縦断面図。
【図１０】実施形態４の非点灯時の見栄えを説明するランプを正面から観察した図。
【発明を実施するための形態】
【００１５】
（実施形態１）
次に、本発明の実施の形態について図面を参照して説明する。図１は本発明を自動車に搭載するアクセサリランプとして構成した実施形態１の外観斜視図である。このアクセサリランプ１は、例えば、自動車の車体のフォグランプ搭載部位に、フォグランプに代えて搭載することができるように構成されている。このアクセサリランプ１は、底部の径寸法に対して開口部の径寸法が大きくされた円筒容器状をしたランプボディ１１を備えており、このランプボディ１１の前面開口に近い部位に透光性のクリアカバー１２が取着されてランプハウジング１０が構成されている。このアクセサリランプ１は前記ランプボディ１１に一体に設けた取付片１１ａを利用して自動車の車体に取り付けることが可能とされている。
【００１６】
前記ランプボディ１１は黒色等の有色樹脂で形成され、前記クリアカバー１２は無色透明な透光性樹脂で形成されている。これらの色については任意の色に設定できるが、クリアカバー１２については少なくとも外部からランプハウジング１０の内部を透視できる色および光透過率の樹脂を用いることが好ましい。
【００１７】
図２は前記アクセサリランプ１のランプ光軸に沿った縦断面図であり、図３はその内部の概略構成を示す分解斜視図である。図２および図３に示すように、前記ランプハウジング１０内には、光源ユニット２と、本発明の光学部材を構成するインナーレンズ３と、本発明の透光性フィルタを構成する透光性のある板状部材４と、エクステンション５とが内装され、それぞれ前記ランプボディ１０の内部に固定支持されている。
【００１８】
前記光源ユニット２は、プリント回路基板をベース２１としており、このベース２１はネジ穴２４を利用して前記ランプボディ１１の内底面に固定されている。前記ベース２１の前面には３つの白色ＬＥＤ（発光ダイオード）２２が三角位置に配置されており、これらの白色ＬＥＤ２２は発光面がランプの前方に向けられるとともに、前記ベース２１に形成されている回路２３を介して外部電源から給電されるようになっている。各白色ＬＥＤ２２は給電されたときに発光した白色光を所定の出射角度範囲でランプ前方に向けて出射する。ここでは、これら３つの白色ＬＥＤ２２からの各白色光を合わせて前記インナーレンズ３の所定の領域に向けて出射されるようになっている。
【００１９】
前記インナーレンズ３は所望の色、ここでは青色に着色された透光性樹脂によって形成されており、軸線をランプの前後方向に向けて前面が開口された略円錐型、換言すれば円形傘型に形成されている。このインナーレンズ３の主面部３１、すなわち円錘型をした面部は、軸線を中心にした複数本の螺旋状のステップ３２が周方向の段状をなすように形成されるとともに、その後面には光を拡散する拡散素子としてシボまたは微小凸面３３が全面に施されている。これらのステップ３２およびシボまたは微小凸面３３を備えることにより、前記主面部３１は光屈折面および光拡散面として構成されている。また、前記インナーレンズ３の前端部は円環状の枠部３４として構成されており、この枠部３４の円周複数箇所にはランプボディ１１に対して固定するための固定爪３５が一体に形成されている。
【００２０】
前記透光性のある板状部材４は、前記インナーレンズ３の前面開口に等しい外径をした円形平板状の非透光金属板あるいは非透光樹脂板で形成されている。ここではアルミニウム板で形成されており、その全面にわたって多数の貫通孔４１が開口されている。この貫通孔４１は直径が０．５〜１．０ｍｍ程度であり、１．０〜２．０ｍｍ程度のピッチ間隔で縦横に配列開口されている。この例では、直径１ｍｍの貫通孔４１を１．５ｍｍピッチ間隔でマトリクス状に開口しているので、当該板状部材４の開口率は約４０％とされている。なお、図２，３では構成を分かり易くするために、貫通孔４１を大きく描いている。
【００２１】
前記板状部材４の前面には、任意の色彩の模様が描かれており、ここでは、「ＫＴ」の文字４２が黄色塗料により描かれている。この模様４２は板状部材４の貫通孔４１での光透過を阻害しないように、貫通孔４１を除く面に塗料を塗布することによって形成される。あるいは、透光性のある塗料で模様をプリントした透光性シートを板状部材４の前面に貼り付けて模様を形成してもよい。前記板状部材４の外周縁部はランプ後方に向けて曲げ形成された鍔部４３として形成されている。
【００２２】
前記エクステンション５は疑似リフレクタとして構成されており、前記インナーレンズ３および前記板状部材４の外径寸法とほぼ同じ径寸法の後側開口５１と、この後側開口５１よりも幾分大径に形成された前側開口５２を有する円錘筒状に形成されている。このエクステンション５はアルミニウム板で形成されるか、あるいは樹脂で形成されたときにはその前面にアルミニウム塗装が施され、内周面がリフレクタの外観を呈するように構成されている。このエクステンション５は前記インナーレンズ３と前記板状部材４の各周縁部がクリアカバー１２を透して外部に露見されないようにするためのものである。
【００２３】
前記したインナーレンズ３、板状部材４、エクステンション５は前記ランプボディ１１の内部に固定支持されるが、前記インナーレンズ３の外周縁部に設けた固定爪３５が前記ランプボディ１１の内面に形成された係合段部１１ｂに係合されることによって固定される。前記板状部材４と前記エクステンション５は、当該板状部材４に設けた鍔部４３と、エクステンション５の後側開口縁部５１がインナーレンズ３の枠部３４とランプボディ１１の内周面との間に挟持されることによりランプボディ１１に固定される。
【００２４】
以上の構成のアクセサリランプ１によれば、昼間時等の非点灯時に当該アクセサリランプ１を前方から観察したときには、クリアレンズ１２を透して板状部材４の前面が観察される。すなわち、図４（ａ）に示すように、板状部材４の前面に描かれている黄色の模様４２、ここでは「ＫＴ」の文字が視認されることになる。したがって、このアクセサリランプ１を自動車の車体に搭載するフォグランプに代えて搭載したときには、自動車を前方から見たときに当該アクセサリランプ１により「ＫＴ」の模様４２が視認されることになる。夜間においても、街路灯等の外光が存在し、当該外光がアクセサリランプ１のクリアカバー１２に入射されたときには、板状部材４の前面での光反射によって黄色の模様４２が観察される。
【００２５】
アクセサリランプ１の点灯時には、３つの白色ＬＥＤ２２が発光され、ここから出射された白色光はインナーレンズ３の主面部３１の後面に入射される。各白色ＬＥＤ２２から出射される白色光は若干の発散状態にあり、インナーレンズ３に入射される光は少なくとも主面部３１に入射される。主面部３１の後面にはシボあるいは微小凸面３３が形成されて光拡散面として構成されているので、主面部３１に入射された光は、この光拡散面によって大きな角度範囲に向けられた拡散光となる。
【００２６】
インナーレンズ３の主面部３１に入射され、かつ透過された光は青色光となって前面から出射されるが、主面部３１を透過される際にステップ３２により屈折される。ステップ３２は螺旋状をした周方向の段状に形成されているので、出射される光はステップ３２に対応した螺旋状の光パターンとして出射される。前記したようにインナーレンズ３に入射された光は主面部３１での光拡散によって略均一な明るさとされているので、この螺旋状の光パターンは螺旋の延長方向に略均一なものとなり、略均一な明るさの青色をした螺旋状の光パターンが得られる。
【００２７】
インナーレンズ３から出射された光は板状部材４の後面に入射され、当該板状部材４の貫通孔４１を通って前面側に出射される。出射された光はクリアカバー１２を透過してアクセサリランプ１の前方に照射される。板状部材４の貫通孔４１の開口率は、ここでは４０％程度であるが、インナーレンズ３を透過された光は主面部３１での光拡散によって板状部材４の後面に対して拡散状態に入射されるので、板状部材４での光透過率は貫通孔１の開口率よりも大きくなる。すなわち、特許文献１のパンチングメタルのように、板状部材４の後面で反射した光を反射板を利用して再度入射させる構成を採用しなくても、板状部材４の光透過率を高め、光の利用効率を高めることができる。
【００２８】
したがって、アクセサリランプ１の点灯時にアクセサリランプ１を前方から観察したときには、図４（ｂ）に示すように、板状部材４の貫通孔４１を透過した光、すなわちインナーレンズ３の主面部３１を透過してステップ３２によって形成された青色光パターン、ここでは螺旋状の青色光パターンが観察されることになる。このとき、板状部材４の前面は陰になるので、当該前面に施されている模様４２は観察されない。これにより、非点灯時と点灯時における見栄えが相違するアクセサリランプ１が得られる。
【００２９】
このアクセサリランプ１は、インナーレンズ３の主面部３１の後面を光拡散面に形成しているが、この光拡散面は実施形態のようなシボあるいは微小凸面３３で構成でき、このシボや微小凸面３３はインナーレンズ３の成型と同時に形成できるので、コスト高になることはない。少なくとも特許文献１のようにパンチングメタルの後面を光反射面に加工するような場合よりも低コストとなる。また、このアクセサリランプでは、特許文献１のような反射板を必要としないので構造が簡易化でき、かつ低コストに構成できる。
【００３０】
前記インナーレンズ３では螺旋状のステップ３２を設けることにより、インナーレンズ３を透過して前方に向けて出射する光を螺旋状のパターンに形成しているが、インナーレンズ３の光透過面、例えば主面部３１のシボや微小凸面３３が形成されていない側の面に透光性の有色塗料や有色シートで所望のパターンを形成してもよい。この形成されたパターンを透過した光が透過することにより、当該塗料やシートのパターンをした有色の光パターンとして出射され、板状部材４を通して観察されることになる。
【００３１】
（実施形態２）
ここで、光源から出射される光の有効活用するために、第２インナーレンズを設けるようにしてもよい。以降においては、この第２インナーレンズと区別するために前記した実施形態１のインナーレンズ３を第１インナーレンズと称する。図５はこの実施形態２における光源２と第１インナーレンズ３と第２インナーレンズ６の分解斜視図、図６はその縦断面図である。なお、第２インナーレンズ６を除く他の構成は前記実施形態１と同じであるので、これらについての説明は省略する。
【００３２】
第２インナーレンズ６は透明樹脂で形成された円形板状の主板部６１を有しており、この主板部６１の周縁の４箇所に曲げ加工した取付片６３によって前記光源ユニット２のベース２１の前面側に固定される。前記主板部６１には、前記光源ユニットの３つの白色ＬＥＤ２２に対向する３カ所にコンデンサレンズ部（集光レンズ部）６２が一体に形成されている。これらコンデンサレンズ部６２は第２インナーレンズ６の中心部の周囲に等配された主要部を構成することになる。そして、前記第２インナーレンズ６が光源ユニット２に固定された状態では、３つのコンデンサレンズ部６２はそれぞれのレンズ光軸が各白色ＬＥＤ２２の発光光軸に一致される。また、３つのコンデンサレンズ部６２の後側焦点は対応する各白色ＬＥＤ２２の発光面よりも微小寸法だけランプ後方に位置される。
【００３３】
この第２インナーレンズ６を備えることにより、アクセサリランプ１が点灯したときに各白色ＬＥＤ２２で発光した光は、発光光軸を中心にして所要の角度範囲に発散されるが、コンデンサレンズ部６２による集光作用を受けて発散角度が小さくされ、コンデンサレンズ部６２から前方に出射されるときには殆ど前記第１インナーレンズ３の前記主面部３１の領域にのみ入射される状態となる。この白色光は第１インナーレンズ３に入射された後、前記した実施形態と同様に第１インナーレンズ３を透過され、板状部材４の貫通穴４１を通って前方に照射されることは同じである。
【００３４】
第２インナーレンズ６を設けることにより、各白色ＬＥＤ２２で発光された光の大部分を第１インナーレンズ３の主面部３１に入射させることが可能になり、当該発光された光の有効活用を図り、点灯時におけるアクセサリランプ１の明るさを高めることができるようになる。特に、主要部としてのコンデンサレンズ部６２からアクセサリランプ１の前方に出射される光量は、中心部から前方に出射される光量よりも大きくなるので、この光量の差が点灯時における光の明暗となり、ランプを観察したときに奥行き感を与え、さらに見栄えを向上することになる。
【００３５】
（実施形態３）
あるいは、前記第１と第２のインナーレンズに代えて、リフレクタを用いてもよい。図７にランプ光軸に沿った縦断面図を示すように、ランプボディ１１内に第１と第２のインナーレンズを配設する代わりに、光源ユニット２の前面側に所要形状、ここでは３つの白色ＬＥＤ２２をそれぞれ焦点とする３つの放物面形状の反射面７１を一体化した構成のリフレクタ７を内装する。前記リフレクタ７の反射面７１には、図には表れないが、シボ加工を施して反射する光を拡散するように構成することが好ましい。また、反射面７１には所要の模様、例えば青色の塗料で、各反射面７１のそれぞれに螺旋状の模様を塗布形成すればよい。
【００３６】
この実施形態３の場合には、アクセサリランプ１の点灯時には、各白色ＬＥＤ２２で発光された光はそれぞれリフレクタ７の反射面７１で反射され、それぞれランプ光軸にほぼ平行な光とされる。また、この反射面７１で反射される際に反射面７１に設けられているシボにより拡散されるため、ランプ光軸方向を主方向とする拡散光とされる。
【００３７】
反射面７１で反射された光は板状部材４の後面に入射され、貫通孔４１を通って前面側に出射される。出射された光はクリアカバー１２を透過してアクセサリランプ１の前方に照射される。このとき、板状部材４の後面に入射される光は、リフレクタ７の反射面７１で拡散光とされているので、前記実施形態と同様に板状部材４での光透過率が向上される。これにより、光源ユニット２の３つの白色ＬＥＤ２２から出射した光を効率よく板状部材４に向けて反射させることができ、光の利用効率が高められる。
【００３８】
この実施形態３では、アクセサリランプ１の点灯時における見栄えは、リフレクタ７の反射面７１に形成された模様に基づく青色光パターンが観察されることになる。ここでは、３つの螺旋状の模様が観察される。これにより、非点灯時と点灯時におけるアクセサリランプの見栄えが相違するランプとなることは前記実施形態と同じである。
【００３９】
（実施形態４）
あるいは、図８に実施形態４の要部の斜視図と、図９にそのランプ光軸の縦断面図をそれぞれ示すように、実施形態１のインナーレンズ（第１インナーレンズ）の変形例として、インナーレンズ３Ａは無色透明部材で形成されており、その主面部３１の裏面には拡散素子として実施形態１のようなシボまたは微小凸面は形成していない。その代わりに主面部３１の裏面には蓄光膜３６が形成されている。この蓄光膜３６を構成している蓄光材は周知のように、太陽光や光源光の光エネルギ（紫外線）を吸収して発光し、これら太陽光や光源光が照射されない状態になったときに徐々に光を放出するものである。ここでは黄色光を放出する。この蓄光膜３６は、例えば、蓄光塗料として一般に提供されているものをインナーレンズ３Ａの主面部３１の裏面の全面に塗布することによって形成される。インナーレンズ３Ａは、この蓄光膜３６によって主面部３１における光透過性が確保されながらも、蓄光した光の放出を可能とし、放出した光を当該主面部３１を透過させて前方に向けて出射させるようになっている。
【００４０】
一方、前記インナーレンズ３Ａの主面部３１の表面には、一部に遮光膜３７が選択的に形成されている。この遮光膜３７は、例えば黒色塗料等の有色塗料を塗布し、あるいは非透光シートを貼付する等によって形成されている。ここでは、主面部３１の表面には実施形態１のような螺旋状のステップは形成されておらず、代わりにこの螺旋状ステップと類似の形状をした螺旋テーパ状となるように黒色塗料が主面部３１の表面に塗布されている。換言すれば、主面部３１は遮光膜３７からなる螺旋状パターンの非透光部と、この遮光膜３７が存在していない螺旋状パターンの透光部とが形成されることになる。
【００４１】
実施形態４によれば、アクセサリランプ１の非点灯時は実施形態１と同様であり、クリアレンズ１２を透して板状部材４の前面が観察される。したがって、図１０（ａ）に示すような、板状部材４の前面に描かれている模様４２が視認されることになる。すなわち、実施形態１での図４（ａ）と同じ外観となる。
【００４２】
アクセサリランプ１の点灯時には、３つの白色ＬＥＤ２２が発光され、ここから出射された白色光はインナーレンズ３Ａの主面部３１の後面の蓄光膜３６に入射される。入射された白色光は蓄光膜３６に対してエネルギを供給すると同時に蓄光膜３６を透過され、インナーレンズ３Ａの主面部３１の前方に向けられる。このとき、白色光は蓄光膜３６によって拡散状態とされる。
【００４３】
インナーレンズ３Ａの主面部３１の前方に向けられた光の一部は、遮光膜３７によって遮光される。そのため、遮光膜３７が存在しない螺旋状パターンの透光部においてのみ光が透過される。このとき、蓄光膜３６を透過する光量が多いので、透過光は白色に近い色相となる。インナーレンズ３Ａに入射された光は蓄光膜３６での光拡散によって略均一な明るさにされているので、この透過光は周方向および径方向に略均一な明るさの光パターンとなる。
【００４４】
インナーレンズ３Ａから出射された光は、実施形態１と同様に、板状部材４の後面に入射され、板状部材４の貫通孔４１を通って前面側に出射される。出射された光はクリアカバー１２を透過してアクセサリランプ１の前方に照射される。したがって、アクセサリランプ１の点灯時にアクセサリランプ１を前方から観察したときには、図１０（ｂ）に示すように、板状部材４の貫通孔４１を透過した光、すなわちインナーレンズ３Ａの主面部３１を透過するが遮光膜３７によって遮光された螺旋状パターンが観察されることになる。このとき、前記したように蓄光膜３６を透過する光量が多いので、螺旋状パターンの明るい領域は白色に近い色相となる。これにより、非点灯時と点灯時における見栄えが相違するアクセサリランプ１が得られる。
【００４５】
さらに、このようなアクセサリランプ１の点灯状態から消灯すると、蓄光膜３６に蓄光された光は黄色光として放出され、放出された黄色光はインナーレンズ３Ａの主面部３１から前方に向けて出射され、板状部材４の貫通孔４１を透過され、さらにクリアカバー１２を透過される。これにより、アクセサリランプ１を点灯から消灯に切り替えたときには、点灯時と同じ螺旋状パターンの見栄えとなるが、蓄光膜３６からの光の放出が行なわれている間は、点灯時の白色光から蓄光膜３６での蓄光色である黄色光に切り替えられた螺旋状パターンの見栄えとなる。結果として、アクセサリランプ１の消灯時、点灯時、消灯後の所定時間の３つの場合においてそれぞれ異なる見栄えとなる。
【００４６】
また、実施形態４では、アクセサリランプ１の非点灯時であって太陽光が照射されている屋外の走行時には、太陽光はクリアカバー１２および板状部材４の貫通穴４１を通してインナーレンズ３Ａに入射され、さらに遮光膜３７が存在しない主面部３１を透過して蓄光膜３６に入射される。これにより、蓄光膜３６は、遮光膜３７が存在していない螺旋状パターンの透光部に対応する領域において蓄光が行なわれる。
【００４７】
そして、屋外の走行からトンネルのような暗闇環境に走行されたときには、蓄光膜３６に蓄光された光はインナーレンズ３Ａの主面部３１から前方に向けて出射され、板状部材４の貫通孔４１を透過し、さらにクリアカバー１２を透過される。これにより、アクセサリランプ１が非点灯でも、アクセサリランプ１の外観は蓄光膜３６による螺旋状パターンの見栄えとなる。この場合も、図１０（ｂ）に示したと同様の見栄えとなるが、このときには蓄光膜３６において蓄光された黄色光となり、点灯時の白色光とは異なった見栄えとなる。
【００４８】
実施形態４のインナーレンズ３Ａについては、主面部３１の表面については実施形態１と同様なステップを形成してもよく、この場合には遮光膜３７は形成されなくてもよい。また、実施形態４において、蓄光膜３６はインナーレンズ３Ａの主面部３１の表面に形成され、遮光膜３７は主面部３１の裏面に形成されてもよい。ただし、蓄光膜３６が表面に形成されるときには、所望のパターン、すなわち非点灯時の外観パターンとしたい形状に形成することが必要である。
【００４９】
また、実施形態４においても、実施形態２と同様に第２インナーレンズを配設してもよく、あるいは実施形態３のようなリフレクタを配設してもよい。
【００５０】
以上の実施形態では、円形の貫通孔をマトリクス状に開口した板状部材を用いたが、矩形の貫通孔をマトリクス状に開口した枡目状の板状部材、あるいはスリット状の貫通孔（貫通溝）を配列した格子状に近い構成の板状部材を用いてもよい。また、板状部材は非透光性樹脂で形成されてもよい。
【００５１】
本発明にかかる透光性フィルタとして多数の貫通孔を有する板状部材用いた例を説明したが、このような板状部材と実質的に同等の機能を有していれば本発明に適用することができる。例えば、多数の開口を配列した非透光性シートを透光性板材の表面に貼り付けたもの、あるいは所要の非透光性パターンを透光性板材の表面にプリントしたものであってもよい。この場合には、これら非透光性シートや非透光性パターンの表面に所要の模様を一体に形成すればよい。
【００５２】
以上の実施形態１〜４では、本発明にかかる光学部材として、第１インナーレンズ、第１インナーレンズと第２インナーレンズ、リフレクタでそれぞれ構成した例を示したが、光源から出射した光を所要の光パターンとして、かつ拡散した状態で透光性フィルタの後面に入射させる構成であればよく、実施形態の構成に限られるものではない。
【００５３】
本発明にかかる光源は白色ＬＥＤに限られるものではなく、他の有色ＬＥＤやその他の発光素子、さらにはバルブ（電球）を用いてもよい。
【産業上の利用可能性】
【００５４】
本発明は点灯時と非点灯時でランプの見栄えを相違させた灯具に採用することが可能である。
【符号の説明】
【００５５】
１  アクセサリランプ（灯具）
２  光源ユニット（光源）
３，３Ａ  インナーレンズ（第１インナーレンズ：光学部材）
４  透光性のある板状部材（透光性フィルタ）
５  エクステンション
６  第２インナーレンズ（光学部材）
７  リフレクタ（光学部材）
１０  ランプハウジング
１１  ランプボディ
１２  クリアカバー
３２  ステップ
３３  シボ（拡散素子）
３６  蓄光膜（拡散素子）
３７  遮光膜
４１  貫通孔
４２  模様
６２  コンデンサレンズ部（主要部）
【図１】
0006629008.tif 000002
【図２】
0006629008.tif 000003
【図３】
0006629008.tif 000004
【図４】
0006629008.tif 000005
【図５】
0006629008.tif 000006
【図６】
0006629008.tif 000007
【図７】
0006629008.tif 000008
【図８】
0006629008.tif 000009
【図９】
0006629008.tif 000010
【図１０】
0006629008.tif 000011